【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
複数のチャンネルを含むインクジェットプリントヘッドであって、ここでこのチャンネルが、インク供給物からのインクで満たされることができ、ここでこのチャンネルが、このインクジェットプリントヘッドの１つの表面上にあるノズルに終止し、この表面が、フッ素化ポリ（アミド−イミド）コポリマーを含むコーティング組成物でコーティングされており、
前記フッ素化ポリ（アミド−イミド）コポリマーが、以下の式
【化１】
2013103501.tif 000001
のポリ（アミド−イミド）／フッ素化ポリエーテルコポリマー、またはこれらの混合物であり、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）「フッ素化エーテル」は、１つ以上の部分的にフッ素化されたまたは完全にフッ素化されたエーテルモノマーを表し；
（ｖ）ｘは、繰り返しポリ（アミド−イミド）ユニットの数を表す正の整数であり；ならびに
（ｖｉ）ｙは、繰り返しフッ素化エーテルユニットの数を表す正の整数である、インクジェットプリントヘッド。
【請求項２】
請求項１に記載のインクジェットプリントヘッドであって、ここで
【化２】
2013103501.tif 000002
が−（ＣＦ２ＣＦ２Ｏ）ｒ−（ＣＦ２Ｏ）ｑ−であり、式中、ｒは繰り返し（ＣＦ２ＣＦ２Ｏ）ユニットの数を表す正の整数であり、ｑは繰り返し（ＣＦ２Ｏ）ユニットの数を表す正の整数であり、ｒ／ｑは０．９から５であり、ここで前記ポリ（アミド−イミド）／フッ素化ポリエーテルコポリマーが、少なくとも１つのカルボン酸官能基をそこに有する、インクジェットプリントヘッド。
【請求項３】
請求項１または２に記載のインクジェットプリントヘッドであって、ここで
【化３】
2013103501.tif 000003
またはこれらの混合物であり、
【化４】
2013103501.tif 000004
またはこれらの混合物であり、
【化５】
2013103501.tif 000005
である、インクジェットプリントヘッド。
【請求項４】
請求項１に記載のインクジェットプリントヘッドであって、ここで
【化６】
2013103501.tif 000006
がポリ（トリフルオロプロピレンエーテル）である、インクジェットプリントヘッド。
【請求項５】
前記フッ素化ポリ（アミド−イミド）コポリマーコーティングが、センチメートルあたり８０ｄｙｎｅ以下の表面エネルギーを有する、請求項１〜４のいずれか一項に記載のインクジェットプリントヘッド。
【請求項６】
前記フッ素化ポリ（アミド−イミド）コポリマーコーティングが、少なくとも８０°の水接触角を示す、請求項１〜５のいずれか一項に記載のインクジェットプリントヘッド。
【請求項７】
複数のチャンネルを含むインクジェットプリントヘッドであって、ここでこのチャンネルが、インク供給物からのインクで満たされることができ、ここでこのチャンネルが、インクジェットプリントヘッドの１つの表面上にあるノズルに終止し、この表面が、以下の式
【化７】
2013103501.tif 000007
のポリイミド／フッ素化ポリエーテルコポリマー；
またはこれらの混合物を含むコーティング組成物でコーティングされ、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）「フッ素化エーテル」は、１つ以上の部分的にフッ素化されたまたは完全にフッ素化されたエーテルモノマーを表し；
（ｖ）ｘは、繰り返しポリイミドユニットの数を表す正の整数であり；
（ｖｉ）ｙは、繰り返しフッ素化エーテルユニットの数を表す正の整数であり；
（ｖｉｉ）Ｒ４は：
（Ａ）置換および非置換アルキレンを含む部分的にフッ素化されたまたは完全にフッ素化されたアルキレンであって、ここでヘテロ原子は、アルキレン中に存在してもよく、または存在しなくてもよいのいずれかであるアルキレン；
（Ｂ）置換および非置換アリーレンを含む部分的にフッ素化されたまたは完全にフッ素化されたアリーレンであって、ここでヘテロ原子は、アリーレン中に存在してもよく、または存在しなくてもよいのいずれかであるアリーレン；
（Ｃ）置換および非置換アリールアルキレンを含む部分的にフッ素化されたまたは完全にフッ素化されたアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含む部分的にフッ素化されたまたは完全にフッ素化されたアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
ここでＲ４は少なくとも１０％のフッ素化度を有し；
（ｖｉｉｉ）Ｒ５は：
（Ａ）置換および非置換アルキレンを含む部分的にフッ素化されたまたは完全にフッ素化されたアルキレンであって、ここでヘテロ原子は、アルキレン中に存在してもよく、または存在しなくてもよいのいずれかであるアルキレン；
（Ｂ）置換および非置換アリーレンを含む部分的にフッ素化されたまたは完全にフッ素化されたアリーレンであって、ここでヘテロ原子は、アリーレン中に存在してもよく、または存在しなくてもよいのいずれかであるアリーレン；
（Ｃ）置換および非置換アリールアルキレンを含む部分的にフッ素化されたまたは完全にフッ素化されたアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含む部分的にフッ素化されたまたは完全にフッ素化されたアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
ここでＲ５は少なくとも１０％のフッ素化度を有し；
（ｉｘ）ｍは、繰り返し−ＯＲ４−基の数を表す整数であり、少なくとも１であり；ならびに
（ｘ）ｎは、繰り返し−ＯＲ５−基の数を表す整数であり、０であってもよく；
（ｘｉ）ここで前記ポリイミド／フッ素化ポリエーテルコポリマーが、５，０００〜５００，０００の重量平均分子量、および５，０００〜５００，０００の数平均分子量を有する、インクジェットプリントヘッド。
【請求項８】
請求項７に記載のインクジェットプリントヘッドであって、
【化８】
2013103501.tif 000008
またはこれらの混合物であり、
【化９】
2013103501.tif 000009
またはこれらの混合物であり、
【化１０】
2013103501.tif 000010
が−（ＣＦ２ＣＦ２Ｏ）ｒ−（ＣＦ２Ｏ）ｑ−であり、式中、ｒが繰り返し（ＣＦ２ＣＦ２Ｏ）ユニットの数を表す正の整数であり、ｑは繰り返し（ＣＦ２Ｏ）ユニットの数を表す正の整数であり、ｒ／ｑが０．９から５であり、
【化１１】
2013103501.tif 000011
のＭｎが９００〜３，５００であり、ここで前記ポリイミド／フッ素化ポリエーテルコポリマーは、少なくとも１つのカルボン酸官能基を末端基として有する、インクジェットプリントヘッド。
【請求項９】
複数のチャンネルを含むインクジェットプリントヘッドであって、ここでこのチャンネルが、インク供給物からのインクで満たされることができ、ここでこのチャンネルが、インクジェットプリントヘッドの１つの表面上にあるノズルに終止し、この表面が、以下の式
【化１２】
2013103501.tif 000012
のポリイミド／フッ素化ポリエーテルコポリマー；
またはこれらの混合物を含むコーティング組成物でコーティングされ、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）ｒは、繰り返し−（ＣＦ２ＣＦ２Ｏ）−ユニットの数を表す正の整数であり；
（ｖ）ｑは、繰り返し−（ＣＦ２Ｏ）−ユニットの数を表す正の整数であり；
（ｖｉ）ｒ／ｑは、１．５〜３である；
（ｖｉｉ）ｘは、繰り返しポリイミドユニットの数を表す正の整数であり；ならびに
（ｖｉｉｉ）ｙは、繰り返しフッ素化エーテルユニットの数を表す正の整数である、インクジェットプリントヘッド。
【手続補正２】
【補正対象書類名】明細書
【補正対象項目名】発明の名称
【補正方法】変更
【補正の内容】
【発明の名称】インクジェットプリントヘッド